(57)【要約】【課題】ミラーの有効面積を圧迫することなく、コンセントを使用することができるコンセント付きミラー支持台を提供すること。【解決手段】ミラー１３とミラー１３を支持する支持部１とから構成され、支持部１にコンセント１６を備えたコンセントボックス１５が取り付けられたコンセント付きミラー支持台であって、コンセントボックス１５を、ミラー１３の背面側であって且つ支持部１に設けた。【選択図】図３
2010167103.tif 000002
【特許請求の範囲】
【請求項１】
ミラーと該ミラーを支持する支持部とから構成され、前記支持部にコンセントを備えたコンセントボックスが取り付けられたコンセント付きミラー支持台であって、
前記コンセントボックスを、前記ミラーの背面側であって且つ前記支持部に設けたことを特徴とするコンセント付きミラー支持台。
【請求項２】
前記支持部は前記ミラーを側方から支持する側板を備え、
前記コンセントボックスを前記側板の内側面に設け、該コンセントボックスのコンセントは、前記側板の外側面に面一に配備されていることを特徴とする請求項１に記載のコンセント付きミラー支持台。
【請求項３】
前記側板の外側面には物品を収納可能な棚部が設けられており、該棚部の下方には前記コンセントが配置されていることを特徴とする請求項２に記載のコンセント付きミラー支持台。
【請求項４】
前記ミラーの背面側には、物品を収納可能な収納空間が形成されていることを特徴とする請求項１ないし３のいずれかに記載のコンセント付きミラー支持台。
【請求項５】
前記収納空間は正面側に向かって開口しており、前記ミラーの裏面は少なくとも鏡面となっており、前記収納空間を開閉自在であることを特徴とする請求項４に記載のコンセント付きミラー支持台。
【請求項６】
前記収納空間は、左右の前記側板と、両該側板が取り付けられる後板と、両前記側板の上端部間に亘って取り付けられる上板と、両前記側板の下端部間に亘って取り付けられる下板と、によって正面側のみに開口するように形成されており、前記コンセントボックスが、前記収納空間内に設けられていることを特徴とする請求項４または５に記載のコンセント付きミラー支持台。
【発明の詳細な説明】
【技術分野】
【０００１】
本発明は、支持部にコンセントを備えたコンセントボックスが取り付けられたコンセント付きミラー支持台に関する。
【背景技術】
【０００２】
従来、洗面化粧台は、洗面ボウルとカラン（蛇口）及び照明器具を備え、正面に鏡（ミラー）が取り付けられているものがある。このような洗面化粧台においては、鏡の側方に、照明や鏡の曇り止めやコンセント等の配線器具が正面側を向くように配置されており、使用者が洗面化粧台を使用し易いようにしているものがある（例えば、特許文献１参照）。
【先行技術文献】
【特許文献】
【０００３】
【特許文献１】特開２００２−３１５６３５号公報（第３頁、第２図）
【発明の概要】
【発明が解決しようとする課題】
【０００４】
しかしながら、特許文献１にあっては、配線器具を鏡の側方で正面側を向くように配置することで、配線器具の左右幅が鏡の左右幅を圧迫してしまうため、鏡の有効面積を広く取ることができないという問題があった。
【０００５】
本発明は、このような問題点に着目してなされたもので、ミラーの有効面積を圧迫することなく、コンセントを使用することができるコンセント付きミラー支持台を提供することを目的とする。
【課題を解決するための手段】
【０００６】
前記課題を解決するために、本発明の請求項１に記載のコンセント付きミラー支持台は、
ミラーと該ミラーを支持する支持部とから構成され、前記支持部にコンセントを備えたコンセントボックスが取り付けられたコンセント付きミラー支持台であって、
前記コンセントボックスを、前記ミラーの背面側であって且つ前記支持部に設けたことを特徴としている。
この特徴によれば、コンセントボックスが支持部の外面視から隠蔽された状態で、ミラーの有効面積と干渉しないように配置したので、ミラーの有効面積を大きく確保しながらコンセントを使用することができる。
【０００７】
本発明の請求項２に記載のコンセント付きミラー支持台は、請求項１に記載のコンセント付きミラー支持台であって、
前記支持部は前記ミラーを側方から支持する側板を備え、
前記コンセントボックスを前記側板の内側面に設け、該コンセントボックスのコンセントは、前記側板の外側面に面一に配備されていることを特徴としている。
この特徴によれば、コンセントが側板の外側面と面一となっているので、コンセントボックスが側板の外方に突出することなく納められ、外方から容易にコンセントにプラグを差し込むことができる。
【０００８】
本発明の請求項３に記載のコンセント付きミラー支持台は、請求項２に記載のコンセント付きミラー支持台であって、
前記側板の外側面には物品を収納可能な棚部が設けられており、該棚部の下方には前記コンセントが配置されていることを特徴としている。
この特徴によれば、液体が側板の外側面に付着して外側面に沿って垂れてきた場合であっても、棚部によって液体を受けることができ、液体がコンセントに浸入してしまうことを防ぐことができる。
【０００９】
本発明の請求項４に記載のコンセント付きミラー支持台は、請求項１ないし３のいずれかに記載のコンセント付きミラー支持台であって、
前記ミラーの背面側には、物品を収納可能な収納空間が形成されていることを特徴としている。
この特徴によれば、収納空間内にコンセントボックスを配置することができるとともに、コンセントを要する電気機器類を収納空間内に同時に収納することができるので、例えば、ミラーによって閉塞された収納空間内で充電シェイバー等を収納空間内を向くコンセントに接続した状態で充電しながら収納することができる。
【００１０】
本発明の請求項５に記載のコンセント付きミラー支持台は、請求項４に記載のコンセント付きミラー支持台であって、
前記収納空間は正面側に向かって開口しており、前記ミラーの裏面は少なくとも鏡面となっており、前記収納空間を開閉自在であることを特徴としている。
この特徴によれば、ミラーを開放することで、ミラーの正面側から収納空間に、例えば、ミラーの使用時に必要な物品の収納及び取り出しを行うことができるだけでなく、コンセントボックスの取り付けや修理をミラーを開放して収納空間側から作業することができる。また、ミラーを開放しても、ミラーの裏面が鏡面となっているので、ミラーを裏面でも使用することができる。
【００１１】
本発明の請求項６に記載のコンセント付きミラー支持台は、請求項４または５に記載のコンセント付きミラー支持台であって、
前記収納空間は、左右の前記側板と、両該側板が取り付けられる後板と、両前記側板の上端部間に亘って取り付けられる上板と、両前記側板の下端部間に亘って取り付けられる下板と、によって正面側のみに開口するように形成されており、前記コンセントボックスが前記収納空間内に設けられていることを特徴としている。
この特徴によれば、ミラーの閉塞時には収納空間を外部から隔離してコンセントボックスや収納物品に液体や埃等が降りかかってしまうことを防ぐことができる。
【図面の簡単な説明】
【００１２】
【図１】実施例におけるミラー支持台を示す正面図である。
【図２】ミラーが開放された状態のミラー支持台を示す正面図である。
【図３】収納部内に設けられたコンセントボックスを示す斜視図である。
【図４】収納部内に設けられたコンセントボックスを示す斜視図である。
【発明を実施するための形態】
【００１３】
本発明に係るミラー支持台を実施するための形態を実施例に基づいて以下に説明する。
【実施例】
【００１４】
実施例に係るミラー支持台につき、図１から図４を参照して説明する。正面側に使用者の顔等を写す正面視長方形状のミラー１３と、このミラー１３を左右から取付支持可能な側板８と、これらを例えば、洗面室やバスルーム等に設置される洗面化粧台２に取り付けた後板６とで構成されている。
【００１５】
具体的には、この洗面化粧台２には、上部に使用者が洗面や化粧等に使用する洗面ボール３や蛇口４等が設けられている。洗面ボール３の下方には、化粧品や洗面用具等を収納するための引出し５が、上下方向に複数（本実施例では２つ）前後方向に引き出し自在に取り付けられている。
【００１６】
また、洗面化粧台２の背面側には、上方に向かって延設される後板６が立設されている。この後板６の上端は正面側に向かって屈曲されており（図３及び図４参照）、前端部には蛍光灯等の照明を取り付け可能となっている。そして、この後板６の正面に側板８が取り付けられている。
【００１７】
更に、両側板８の外側面には、上下方向に化粧品や洗面用具等の物品を収納可能な棚部７が複数段（本実施例では３段）取り付けられている。これら棚部７はそれぞれ背面を後板６と隙間無く当接されているとともに、側板８の左右側方に左右対称となるように配置されている。
【００１８】
図２に示すように、左右の側板８の上端部間に上板９が、両側板８の下端部間に下板１０とが、取り付けられて正面視枠状に形成されている。そして、これら両側板８と上板９及び下板１０の背面を図示しない螺子等によって後板６に取り付けることで、両側板８と上板９と下板１０後板６とに囲まれて正面側に開口する収納空間１１が形成されている。この収納空間１１内には、左右の側板８間に棚板１２が上下方向に２段が渡設されてミラーキャビネット１を構成し、内部に例えば、ドライヤーや電気シェイバー等の物品を収納可能となっている。
【００１９】
尚、両側板８のうち、一方の収納空間１１側の側面と、両面が鏡面で構成されたミラー１３の背面との間には、ミラー１３を収納空間１１に対して開閉自在に枢支するためのヒンジ１４が取り付けられており、使用者は、収納空間１１内に収納されている物品をミラー１３を開閉することによって取り出し及び収納できるようになっている。そして、ミラー１３は、このミラー１３を支持したミラーキャビネット１により洗面化粧台２に固定されることになる。すなわち、このミラーキャビネット１は、本発明における支持部を構成している。
【００２０】
ヒンジ１４が取り付けられていない側の側板８の外側面には、図３に示すように、ドライヤー等の使用者が洗面化粧台２で使用する電気機器に電力を供給するためのコンセントボックス１６が収納空間１１内に配置され、側板８の内面側に取り付けられている。このため、コンセントボックス１６はミラー１３の背面側に配備されることになり、コンセントボックス１６をミラー１３で完全に隠蔽することができる。このコンセントボックス１６の挿し口であるコンセント１５は、ミラーキャビネット１の左右側方で複数段が配置されている棚部７のうち、最下段の棚部７の下方であって側板８の外側面と面一となるように取り付けられている。
【００２１】
このため、このコンセント１５は上方の棚部７に物品が収納されている場合であっても、収納されている物品に妨げられずにドライヤー等の電気機器のプラグを接続することができる。加えて、コンセント１５に電気機器のプラグが接続されている状態では、棚部７によって上方からの落下物等からプラグを保護することができる。
【００２２】
また、コンセントボックス１６には、図示しない電源コードが後板６の背面側に向けて延設されており、洗面室やバスルーム等に設けられたコンセントに接続されている。このため、側板８に設けられたコンセント１５は、ドライヤー等に給電可能となっている。
【００２３】
更に、コンセントボックス１６の収納空間１１側の側面には、図４に示すように、第２コンセント１７が取り付けられている。従って、ミラー１３を開放した状態でドライヤー等を接続して使用することができるばかりか、ミラー１３を閉塞した状態でも、収納空間１１内に収納されている充電式の電気シェイバー等に給電を行い、充電させることが可能となっている。
【００２４】
以上、本実施例におけるコンセント付きミラー支持台にあっては、コンセントボックス１６を、ミラー１３の背面側であって且つ側板８の内側部に設けたことによって、コンセントボックス１６がミラーキャビネット１の外面視から隠蔽された状態となるので、コンセント１６はミラー１３の有効面積と干渉せずに、ミラー１３の有効面積を大きく確保しながらコンセント１５を使用することができる。
【００２５】
また、支持部はミラー１３を側方から支持する側板８を備え、コンセントボックス１６を側板８の内側面に設け、コンセントボックス１６のコンセント１５は、側板８の外側面に面一に配備されているので、コンセント１５が側板８の外側面と面一となっているので、コンセントボックス１６が側板８の外方に突出することなく納められ、外方から容易にコンセント１５にプラグを差し込むことができる。
【００２６】
また、側板８の外側面には物品を収納可能な棚部７が設けられており、棚部７の下方にはコンセント１５が配置されているので、液体が側板８の外側面に付着して外側面に沿って垂れてきた場合であっても、棚部７によって液体を受けることができ、液体がコンセント１５に浸入してしまうことを防ぐことができる。
【００２７】
また、収納空間１１は正面側に向かって開口しており、ミラー１３の裏面は少なくとも鏡面となっており、収納空間１１を開閉自在であるので、ミラー１３を開放することで、ミラー１３の正面側から収納空間１１に、例えば、ミラー１３の使用時に必要な物品の収納及び取り出しを行うことができるだけでなく、コンセントボックス１６の取り付けや修理をミラー１３を開放して収納空間１１側から作業することができる。また、ミラー１３を開放しても、ミラー１３の裏面が鏡面となっているので、ミラー１３を裏面でも使用することができる。
【００２８】
また、収納空間１１は正面側に向かって開口しており、ミラー１３は収納空間１１を開閉自在となっているので、ミラー１３を開放するだけで、ミラーキャビネット１の正面側から収納空間１１に物品の収納及び取り出しを行うことができる。
【００２９】
また、収納空間１１は、左右の側板８と、両側板８が取り付けられる後板６と、両側板８の上端部間に亘って取り付けられる上板９と、両側板８の下端部間に亘って取り付けられる下板１０と、によって正面側のみに開口するように形成されており、収納空間１１内に設けられたコンセントボックス１６には、収納空間１１側を向く第２コンセント１７を備えていることによって、ミラー１３の閉塞時には収納空間１１を外部から隔離してコンセントボックス１６や収納物品に液体や埃等が降りかかってしまうことを防ぐことができる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例では、側板８の収納空間１１側の側面と、両面が鏡面で構成されたミラー１３の背面との間にヒンジ１４を取り付け、ミラー１３を収納空間１１に対して開閉自在に枢支したが、ミラー１３を両側板８に固定してもミラーキャビネット１は使用可能である。
【００３２】
また、前記実施例では、ミラー１３を両側板８によって取付支持し、両側板８と上板９と下板１０と後板６と囲まれて形成された収納空間１１内の側板８の内側面にコンセントボックス１６を設けたが、ミラー１３の左右幅寸法が両側板８間の左右幅よりも長く形成されている場合には、側板８の外側面にコンセントボックス１６を設けてもよい。
【００３３】
また、前記実施例では、後板６が側板８を支持し、この側板８がミラー１３を支持しているが、側板８を直接洗面化粧台２等に取り付けてミラーキャビネット１の支持部としてもよい。
【００３４】
また、前記実施例では、側板８の収納空間１１側の側面と、両面が鏡面で構成されたミラー１３の背面との間にヒンジ１４を取り付け、ミラー１３を収納空間１１に対して開閉自在に枢支したが、ミラー１３の左右を側板８で支持し、このミラー１３の背面側且つ側板８の内側面にコンセントボックス１６を取り付けるとともに、後板６の正面に正面側に開口する収納空間を形成し、この収納空間の上方にミラー１３を吊持するための左右方向を向くレールを取り付け、ミラー１３をこのレールに沿って左右方向に移動可能とすることでミラー１３を収納空間１１に対して開閉自在としてもよく、この場合には、支持部は側板８とレールと後板６とで構成されるとともに、ミラー１３に備えられる鏡面は正面側のみでよい。
【００３５】
また、前記実施例では、コンセントボックス１６をミラー１３の背面側である側板８の内側面に取り付けたが、コンセントボックス１６を下板１０の上面に取り付け、コンセント１６を下板１０の下面と面一となるように取り付けてもよい。
【符号の説明】
【００３６】
１                ミラーキャビネット（支持部）
６                後板
８                側板
９                上板
１０              下板
１１              収納空間
１３              ミラー
１４              ヒンジ
１５              コンセント
１６              コンセントボックス
１７              第２コンセント
【図１】
2010167103.tif 000003
【図２】
2010167103.tif 000004
【図３】
2010167103.tif 000005
【図４】
2010167103.tif 000006